(57)【要約】【課題】  空気調和機を上下寸法の小さい横長形状に形成するとともに他機能ユニットを本体内に内蔵しても、開閉扉を充分に開放してバイパス路を形成することができるプレミックスダンパ装置と、これを備えた空気調和機を提供することを目的とする。【解決手段】  プレミックスダンパ装置８を、複数の空気通過孔９ａを穿設した矩形状のダンパガイド９と、同ダンパガイド９の上面に前後摺動自在に配置されるダンパ１３と、同ダンパ１３を前記ダンパガイド９上に保持する、右側ホルダ１０と、左側ホルダ１２と、これらの中央に位置する中央ホルダ１１と、前記左側ホルダ１２側に装着される駆動装置１４とから構成し、ダンパ１３中央部の凹部１３ｃ前縁部に切欠き１３ｅを形成することにより、切欠きの分だけ、ダンパ１３を前方へ移動できるようにする。【選択図】図８
2008111636.tif 000002
【特許請求の範囲】
【請求項１】
吸込口と吹出口とを備えた本体内に、上部を離間させた第一熱交換器と第二熱交換器とからなる熱交換器と、送風ファンとを備えるとともに、前記吸込口の裏面にフィルタを支持するフィルタ支持部を設け、同フィルタ支持部に近接し、前記第一熱交換器と第二熱交換器との上部離間部に、熱交換されない空気をダンパの開閉により通過させるプレミックスダンパ装置を設けた空気調和機において、
前記プレミックスダンパ装置が、空気通過孔を設けたダンパガイドと、同ダンパガイドの表面に前後摺動自在に配置されるダンパと、前記ダンパを駆動する駆動装置とからなり、前記ダンパの前記フィルタ支持部に近接する前縁部に切欠きを形成したことを特徴とする空気調和機。
【発明の詳細な説明】
【技術分野】
【０００１】
本発明は、空気調和機に係わり、より詳細には、熱交換されない空気と、熱交換された空気とを混合させるプレミックスダンパ装置を備えた構成に関する。
【背景技術】
【０００２】
従来の空気調和機３０は、図９で示すように、ベース３１とフロントパネル３２とで本体を構成し、同本体前面に第一吸込口３３を、本体上面に第二吸込口３４を夫々設け、本体下部に風向偏向板３６を備えた吹出口３５を設けている。前記第一吸込口３３、第二吸込口３４と前記吹出口３５とを結ぶ空気流路には、フィルタレール３９と、熱交換器３７と、送風ファン３８とが設けられ、前記熱交換器３７は、垂直部３７ａと後方傾斜部３７ｂと前方傾斜部３７ｃとからなっている。
【０００３】
前記後方傾斜部３７ｂと前記前方傾斜部３７ｃとの間には、開口部を有する遮風板と、前記遮風板に回動自在に取付られ、前記開口部を開閉する開閉扉とからなるプレミックスダンパ装置４０が設けられている。前記開閉扉の両側には、駆動装置に連結された支軸が設けられ、駆動装置の駆動により開閉扉は回動して、前記開口部を開閉するようになっている。これにより、熱交換器３７を通過せず、直接前記吹出口３５に向かうバイパス路が形成されるようになっている。
【０００４】
しかしながら、空気調和機を上下寸法の小さい横長形状に形成するとともに、クリーンフィルタユニットを内蔵した場合、前記プレミックスダンパ装置４０の構成では、クリーンフィルタユニットの部材に干渉して空気調和機本体内に組み込めない虞があり、狭い設置空間でも組み付けることのできるプレミックスダンパ装置と、これを備えた空気調和機が求められていた。
【特許文献１】特開２０００−３９１６８号（３頁、図１）
【発明の開示】
【発明が解決しようとする課題】
【０００５】
本発明は、上記問題点に鑑み、設置空間が不充分であっても、プレミックスダンパ装置を備えた本体を小型化することのできる空気調和機を提供することを目的とする。
【課題を解決するための手段】
【０００６】
本発明は、上記課題を解決するため、吸込口と吹出口とを備えた本体内に、上部を離間させた第一熱交換器と第二熱交換器とからなる熱交換器と、送風ファンとを備えるとともに、前記吸込口の裏面にフィルタを支持するフィルタ支持部を設け、同フィルタ支持部に近接し、前記第一熱交換器と第二熱交換器との上部離間部に、熱交換されない空気をダンパの開閉により通過させるプレミックスダンパ装置を設けた空気調和機において、前記プレミックスダンパ装置が、空気通過孔を設けたダンパガイドと、同ダンパガイドの表面に前後摺動自在に配置されるダンパと、前記ダンパを駆動する駆動装置とからなり、前記ダンパの前記フィルタ支持部に近接する前縁部に切欠きを形成した構成となっている。
【発明の効果】
【０００７】
本発明によると、プレミックスダンパ装置を構成し、フィルタレールに近接するダンパ前縁部に切欠きを形成することにより、空気通過孔を充分に開放することができるようになっている。これによりプレミックスダンパ装置の前方に、フィルタ支持部があり設置空間が狭くとも、設置が可能であり、空気調和機本体の小型化を図れるようになっている。
【発明を実施するための最良の形態】
【０００８】
以下、本発明の実施の形態を、添付図面に基づいた実施例として詳細に説明する。
【実施例１】
【０００９】
図１は本発明による空気調和機の外観斜視図であり、図２は、図３（Ａ）の断面図である。図３（Ａ）は内部構成を示す斜視図であり、図３（Ｂ）はその要部拡大図である。図４は熱交換器に装着されたプレミックスダンパ装置を示す斜視図であり、図５は同プレミックスダンパ装置の動作後を示す斜視図である。図６はプレミックスダンパ装置の分解斜視図であり、図７は駆動装置の分解斜視図である。また、図８（Ａ）はダンパの斜視図であり、図８（Ｂ）はその要部の上面図である。
【００１０】
本発明による空気調和機は、図１の外観斜視図で示すように、ベース１とフロントパネル２とからなる本体の前面上部から上面にかけて吸込口３を設け、本体下部に吹出口４を設けている。同空気調和機は、図２の断面図で示すように、前記吸込口３と、風向偏向板４ａを備えた前記吹出口４とを結ぶ空気流路に、垂直部５ａと、第一熱交換器としての後方傾斜部５ｂと第二熱交換器としての前方傾斜部５ｃとからなる熱交換器５と、同熱交換器５により熱交換された空気を前記吹出口４から室内に送出する送風ファン６とを設けている。
【００１１】
前記吸込口３の裏面には、同吸込口３から吸込まれた空気に含有される塵埃を捕獲するフィルタ３ａが着脱自在に装着され、また、同フィルタ３ａの前面側及び後面側には、フィルタ清掃ボックス７と、これを装着するボックスマウンタ２５ｅを備えたクリーンフィルタユニット２５が設けられている。また、前記熱交換器５の、後方に傾斜した後方傾斜部５ｂと、前方に傾斜した前方傾斜部５ｃとの上端部の間には、プレミックスダンパ装置８が装着されている。
【００１２】
前記フィルタ清掃ボックス７を装着したボックスマウンタ２５ｅは、上下方向に移動できるようにガイドフレーム２５ｃに支持されており、前記フィルタ清掃ボックス７は前記フィルタ３ａの表面に沿って移動することにより、同フィルタ３ａの表面に堆積した塵埃を自動的に清掃するようになっている。また、前記プレミックスダンパ装置８には開閉動作を行う、後述するダンパ１３が設けられており、同ダンパ１３が開放されると、前記吸込口３から吸込まれた空気の一部が熱交換されずに前記熱交換器５を通過し熱交換された空気と混合されて前記吹出口４から送出されるようになっている。これにより、前記吹出口４から吹出される空気の湿度を相対的に低下させて、使用者に対する快適性を向上させるようになっている。
【００１３】
前記クリーンフィルタユニット２５を構成するフレームは、図３の斜視図で示すように、上梁２５ａと下梁２５ｂとを備え、同上梁２５ａと下梁２５ｂとを、両側と中央部に位置する上下方向の、フィルタ支持部としてのガイドフレーム２５ｃで連結した枠体状に形成され、更に、これらガイドフレーム２５ｃの間には、前記フィルタ３ａの裏面を支持したり、ボックスマウンタ２５ｅを支持するサブフレーム２５ｄが設けられている。前記フィルタ清掃ボックス７を装着したボックスマウンタ２５ｅは、前記フレームに左右一対に装着され、前記ガイドフレーム２５ｃに両端部を支持されながら上下方向に移動するようになっている。また、各ガイドフレーム２５ｃは、下端部に差込口を備え、前記フィルタ３ａを着脱可能に支持するようになっている。また、前記ガイドフレーム２５ｃの一側には、駆動モータと、ギアケースとを内蔵し、前記清掃ユニットマウンタ７を上下方向に駆動する駆動部２５ｆが設けられている。
【００１４】
前記フィルタ清掃ボックス７の内部には、回動自在に軸支される一対の清掃ブラシと、これら清掃ブラシに捕獲された塵埃をボックス本体内に回収する一対の回収ブラシと、前記清掃ブラシの回動を規制するロック部材とが収納されている。
【００１５】
前記ガイドフレーム２５ｃと前記サブフレーム２５ｄとは、図３（Ｂ）の拡大図で示すように、空気調和機本体の高さを抑制するため、前記プレミックスダンパ装置８にかなり近接して配置されている。
【００１６】
前記プレミックスダンパ装置８は、図４の斜視図で示すように、前記熱交換器５の後方傾斜部５ｂの上端部と、前方傾斜部５ｃの上端部との間で形成された間隙に配置されるようになっている。同プレミックスダンパ装置８は、前縁部を前記後方傾斜部５ｂの上面に、後縁部を前記前方傾斜部５ｃの上面に夫々固定し、図５で示す複数の空気通過孔９ａを穿設した矩形状のダンパガイド９と、同ダンパガイド９の上面に前後摺動自在に配置されるダンパ１３と、同ダンパ１３を前記ダンパガイド９上に保持する、右側ホルダ１０と、左側ホルダ１２と、これらの中央に位置する中央ホルダ１１と、前記左側ホルダ１２側に装着される駆動装置１４とから構成されている。
【００１７】
図５で示すように、前記ダンパ１３が前方に移動すると、前記ダンパガイド９に形成された複数の空気通過孔９ａが開放され、前記吸込口３から吸込まれた空気の一部は、前記空気通過孔９ａを通過して空気調和機本体内に流入するようになっている。流入した空気は、前記熱交換器５を通過して熱交換された空気と混合され、混合した空気は、前記送風ファン６により前記吹出口４から室内に送出されるようになっている。
【００１８】
前記プレミックスダンパ装置８により、前記吹出口４から熱交換された空気と、熱交換されない空気とを混合して室内に送出することにより、例えば、冷房運転時、運転条件及び冷房能力を変化させることなく、前記吹出口４からの空気の吹出温度を上昇させることができ、室内の冷え過ぎ現象を防止するとともに、吹出される空気の湿度を相対的に低下させて、快適性を向上させるようになっている。
【００１９】
次に、前記プレミックスダンパ装置８の詳細な構造について説明する。図６の分解斜視図で示すように、前記ダンパガイド９は、周囲にリブ９ａ’を立設した矩形状の複数の空気通過孔９ａを穿設し、右側部に右側ガイド部９ｂを、左側部に左側ガイド部９ｃを夫々立設している。また、中央部には、図６で示すように前方に延出され、先端部を上方に折曲し、前記ダンパ１３が出過ぎないようにするストッパ９ｋを形成している。前記右側ガイド部９ｂには前後に延びるレール９ｄが形成され、その前部には螺子孔を穿設した前部固定部９ｅが設けられ、後部には螺子孔を穿設した後部固定部９ｆが設けられている。前記左側ガイド部９ｃには、同様に、前後に延びるレール９ｇが形成され、その前部には螺子孔を穿設した前部固定部９ｈが設けられ、後部には螺子孔を穿設した後部固定部９ｊが設けられており、同左側ガイド部９ｃには前記駆動装置１４が装着されるようになっている。
【００２０】
前記リブ９ａ’との前記リブ９ａ’の間には、前記ダンパ１３の凹部１３ｅが入ることにより前記リブ９ａ’は前記ダンパ１３が前後にスライドする際のガイドとなっている。      
【００２１】
前記ダンパ１３は矩形状に形成され、右側に前記右側ガイド部９ｂに形成されたレール９ｄに載置されガイドされる右側載置部１３ｂを設け、同様に、左側に前記左側ガイド部９ｃに形成されたレール９ｇに載置されガイドされる左側載置部１３ａを設けており、同左側載置部１３ａには、前後に延びるラックギヤが形成されている。また、同ダンパ１３の中央部には段差状に凹部１３ｃが、その両側には、段差状に凹部１３ｄ、１３ｅが夫々形成されている。
【００２２】
前記右側ホルダ１０は前後に螺子孔１０ａ及び１０ｂを穿設し、これらを挿通した螺子が前記右側ガイド部９ｂの前部固定部９ｅと後部固定部９ｆとに螺合されることにより、前記ダンパ１３の右側側を保持しながら、前記ダンパガイド９に固着されるようになっている。同様に、前記左側ホルダ１２は前後に螺子孔１２ａ及び１２ｂを穿設し、これらを挿通した螺子が前記左側ガイド部９ｃの前部固定部９ｈと後部固定部９ｊとに螺合されることにより、前記ダンパ１３の左側側を保持しながら、前記ダンパガイド９に固着されるようになっている。前記中央ホルダ１１は先端部に、前記ストッパ９ｋに対応した折曲部１１ａを形成し、前記ダンパ１３の凹部１３ｃに対応して、後縁部の係合部１１ｂにより前記ダンパガイド９に固着されるようになっている。
【００２３】
前記駆動装置１４には、図７の分解斜視図で示すように、ピニオンギヤ１５ａを回転軸に装着した駆動モータ１５と、前記ピニオンギヤ１５ａと、前記ダンパ１３の左側載置部１３ａに形成されたラックギヤとに噛合する中間ギヤ１６とが設けられ、前記駆動モータ１５は螺子２０により固定されるようになっている。また、同駆動装置１４には、キートップ１７と、マイクロスイッチ１８とが内蔵され、これらを保護するよう保護カバー１９が上面に被着されるようになっている。前記駆動モータ１５が始動すると、前記中間ギヤ１６に噛合したラックギヤにより前記ダンパ１３は前後に摺動するようになっている。
【００２４】
前記ダンパ１３の中央部に段差状に形成されたは凹部１３ｃは、図８（Ｂ）の上面図で示すように、前縁部に約Ｄ寸法の切欠き１３ｆを形成している。同切欠き１３ｆにより、前記ダンパ１３のスライド方向にあるガイドフレーム２５ｃ及びサブフレーム２５ｄをよけているため、前記ダンパ１３の移動量を確保しながら、空気調和機本体の小型化を図ることができるようになっている。
【図面の簡単な説明】
【００２５】
【図１】本発明による空気調和機の外観斜視図である。
【図２】本発明による空気調和機の断面図である
【図３】（Ａ）は内部構成を示す斜視図である。
【００２６】
（Ｂ）はその要部拡大図である。
【図４】熱交換器に装着されたプレミックスダンパ装置を示す斜視図である。
【図５】プレミックスダンパ装置の動作後を示す斜視図である。
【図６】プレミックスダンパ装置の分解斜視図である。
【図７】駆動装置の分解斜視図である。
【図８】（Ａ）はダンパの斜視図である。
【００２７】
（Ｂ）はその要部上面図である。
【図９】従来の空気調和機の断面図である。
【符号の説明】
【００２８】
１  ベース
２  フロントパネル
２ａ  ガイドフレーム
２ｂ  サブフレーム
２ｃ  駆動部
３  吸込口
３ａ  フィルタ
４  吹出口
４ａ  風向偏向板
５  熱交換器
５ａ  垂直部
５ｂ  後方傾斜部
５ｃ  前方傾斜部
６  送風ファン
７  フィルタ清掃ボックス
８  プレミックスダンパ装置
９  ダンパガイド
９ａ  空気通過孔
９ｂ  右側ガイド部
９ｃ  左側ガイド部
９ｄ  レール
９ｅ  前部固定部
９ｆ  後部固定部
９ｇ  レール
９ｈ  前部固定部
９ｊ  後部固定部
９ｋ  ストッパ
１０  右側ホルダ
１０ａ、１０ｂ  螺子孔
１１  中央ホルダ
１１ａ  折曲部
１１ｂ  係合部
１２  左側ホルダ
１２ａ、１２ｂ  螺子孔
１３  ダンパ
１３ａ  左側載置部
１３ｂ  右側載置部
１３ｃ  凹部
１３ｄ  凹部
１３ｅ  凹部
１３ｆ  切欠き
１４  駆動装置
１５  駆動モータ
１５ａ  ピニオンギヤ
１６  中間ギヤ
１７  キートップ
１８  マイクロスイッチ
１９  保護カバー
２０  螺子
２５  クリーンフィルタユニット
２５ａ  上梁
２５ｂ  下梁
２５ｃ  ガイドフレーム
２５ｄ  サブフレーム
２５ｅ  ボックスマウンタ
２５ｆ  駆動部
【図１】
2008111636.tif 000003
【図２】
2008111636.tif 000004
【図３】
2008111636.tif 000005
【図４】
2008111636.tif 000006
【図５】
2008111636.tif 000007
【図６】
2008111636.tif 000008
【図７】
2008111636.tif 000009
【図８】
2008111636.tif 000010
【図９】
2008111636.tif 000011